(57)【要約】【課題】ワイヤの幅方向両端部における押付量を簡単に調整することができ、ワイヤを傷付けにくいフォーマーを提供する。【解決手段】ツインワイヤ式抄紙機のワイヤパートにおいて、フォーミングギャップを形成する上部ワイヤ３および下部ワイヤ４と、上部ワイヤ３の上面をガイドする複数本の固定ブレード７と、下部ワイヤ４の下面をガイドする複数本の加圧ブレード８と、複数本の固定ブレード７の間であって、幅方向の両端部に挿入された複数本の角棒状のデッケル９とからなり、デッケル９の下面９ｃが、外端方向に下傾するテーパ面に形成されている。上部ワイヤ３の幅方向において紙を挟んでいる部分が膨らんでも、上部ワイヤ３がデッケル９の前端で折れ曲がることを防ぐことができるので、上部ワイヤ３の摩耗、損傷を極力防止することができる。【選択図】　　　　図１
2004019078.tif 000002
【特許請求の範囲】
【請求項１】
ツインワイヤ式抄紙機のワイヤパートにおいて、フォーミングギャップを形成する上部ワイヤおよび下部ワイヤと、
前記上部ワイヤの上面をガイドする複数本の固定ブレードと、
前記下部ワイヤの下面をガイドする複数本の加圧ブレードと、
前記複数本の固定ブレードの間であって、幅方向の両端部に挿入された複数本の角棒状のデッケルとからなり、
該デッケルの下面が、外端方向に下傾する傾斜面に形成されている
ことを特徴とするツインワイヤ式抄紙機のフォーマー。
【請求項２】
前記加圧ブレードの両端部における上面が、外端方向に下傾する傾斜面に形成されている
ことを特徴とする請求項１記載のツインワイヤ式抄紙機のフォーマー。
【請求項３】
前記加圧ブレードの傾斜面の傾斜角と、前記デッケルの傾斜面の傾斜角が、ほぼ同じである
ことを特徴とする請求項２記載のツインワイヤ式抄紙機のフォーマー。
【請求項４】
前記デッケルの前端面と傾斜面とが交わる部分に丸みが付けられている
ことを特徴とする請求項１記載のツインワイヤ式抄紙機のフォーマー。
【請求項５】
前記加圧ブレードの上面において、その中央部と傾斜面とが交わる部分に丸みが付けられている
ことを特徴とする請求項２記載のツインワイヤ式抄紙機のフォーマー。
【発明の詳細な説明】
【０００１】
【発明の属する技術分野】
本発明は、ツインワイヤ式抄紙機のフォーマーに関する。さらに詳しくは、一対のフォーミングワイヤが重なり合ったフォーミングギャップへ紙料懸濁液を送り込んで紙層形成を行うツインワイヤ式抄紙機のフォーマーに関する。
【０００２】
【従来の技術】
ツインワイヤ式抄紙機の基本構成を、図３に基づき説明する。
図３はツインワイヤ式抄紙機の概略説明図である。１はフォーミングロール、２はブレストロールで、これらのロール１，２は互いに接近して配置されている。３は上部ワイヤで、フォーミングロール１とガイドロール１１にエンドレスに巻き掛けられて、ワイヤパートの上半分領域で循環する。４は下部ワイヤで、ブレストロール２とガイドロール１２にエンドレスに巻き掛けられて、ワイヤパートの下半分領域で循環する。
前記上部ワイヤ３がフォーミングロール１に巻き掛けられた部分と、前記下部ワイヤ４がブレストロール２に巻き掛けられた部分は、ワイヤ３，４が互いに接近する方向に走行する部分であり、側面視で漏斗状の開口部を形成している。そして、開口部の奥底が、フォーミングロール１とブレストロール２で挟まれるニップ部Ｎであり、そこから各ワイヤ３，４の走行方向下流側において、各ワイヤ３，４が重なって走行する領域の内部が紙層を形成するフォーミングゾーンを構成している。
そして、前記開口部に臨むように、ヘッドボックス６が配置されており、紙料懸濁液（以下、紙料液という）を前記ワイヤ３，４間に噴出させるようにしている。このようにして紙料液がフォーミングゾーンに供給される。この紙料液は、パルプと水の割合（重量）が約１対１００　の懸濁液である。
【０００３】
図４に示すように、前記ニップ部Ｎより下流では、上部ワイヤ３の上方には、上部ワイヤ３を押えておく複数本の固定ブレード１０７　が幅方向に渡し掛けられている。一方、下部ワイヤ４の下方には下部ワイヤ４を下方から加圧する複数本の加圧ブレード１０８　が幅方向に渡し掛けられている。そして、この加圧ブレード１０８　は、上下ワイヤ３，４の走行方向において、前記複数本の固定ブレード１０７　の間に位置するように配置されている。
さらに、複数本の固定ブレード１０７　の間であって、幅方向の両端部には、それぞれ角棒状のデッケル１０９　が挿入されている。つまり、このデッケル１０９　は、前記加圧ブレード１０８　の両端部の上方に配置されており、このデッケル１０９　と加圧ブレード１０８　の両端部によって上下ワイヤ３，４を挟んでいる。このため、上下ワイヤ３，４の両端部において、両者の間に適切な隙間を与えることができ、上下ワイヤ３，４に適切な曲がりを与えることができるので、上下ワイヤ３，４の寿命の伸長を可能にしている。
【０００４】
【発明が解決しようとする課題】
上記のように、固定ブレード１０７　に対し上下ワイヤ３，４間の紙料を加圧ブレード１０８　で加圧する構造では、運転中上下ワイヤ３，４の中央部のように紙料が存在している場合は問題ないが、運転開始直後は紙料が存在しない状態で上下ワイヤ３　　，４が走行し始めるので、デッケル１０９　によって上部ワイヤ３が傷つけられる。
また、図５に示すように、抄紙中、固定ブレード７が設けられていない部分は、サクションボックス３０のチャンバ内の負圧および紙料の内圧によって上部ワイヤ３の幅方向において紙を挟んでいる部分が膨らむ。すると、従来のデッケル１０９　は、その下面が真直な加圧ブレード１０８　と平行となるように形成されているため、上部ワイヤ３の幅方向両端部はデッケル１０９　の前端（内端）の角部で折り曲げられてしまい、上部ワイヤ３には傷が付きやすい。
【０００５】
本発明はかかる事情に鑑み、ワイヤの幅方向両端部における押付量を簡単に調整することができ、ワイヤを傷付けにくいフォーマーを提供することを目的とする。
【０００６】
【課題を解決するための手段】
請求項１のツインワイヤ式抄紙機のフォーマーは、ツインワイヤ式抄紙機のワイヤパートにおいて、フォーミングギャップを形成する上部ワイヤおよび下部ワイヤと、前記上部ワイヤの上面をガイドする複数本の固定ブレードと、前記下部ワイヤの下面をガイドする複数本の加圧ブレードと、前記複数本の固定ブレードの間であって、幅方向の両端部に挿入された複数本の角棒状のデッケルとからなり、該デッケルの下面が、外端方向に下傾する傾斜面に形成されていることを特徴とする。
請求項２のツインワイヤ式抄紙機のフォーマーは、請求項１記載の発明において、前記加圧ブレードの両端部における上面が、外端方向に下傾する傾斜面に形成されていることを特徴とする。
請求項３のツインワイヤ式抄紙機のフォーマーは、請求項２記載の発明において、前記加圧ブレードの傾斜面の傾斜角と、前記デッケルの傾斜面の傾斜角が、ほぼ同じであることを特徴とする。
請求項４のツインワイヤ式抄紙機のフォーマーは、請求項１記載の発明において、前記デッケルの前端面と傾斜面とが交わる部分に丸みが付けられていることを特徴とする。
請求項５のツインワイヤ式抄紙機のフォーマーは、請求項２記載の発明において、前記加圧ブレードの上面において、その中央部と傾斜面とが交わる部分に丸みが付けられていることを特徴とする。
【０００７】
請求項１の発明によれば、デッケルの下面が傾斜状になっているから、上部ワイヤの幅方向において紙を挟んでいる部分が膨らんでも、上部ワイヤがデッケルの前端で折れ曲がることを防ぐことができるので、上部ワイヤの摩耗、損傷を極力防止することができる。
請求項２の発明によれば、加圧ブレードの上面を傾斜で逃がし、相手部材であるデッケルの下面も傾斜を付けている。このため、上下ワイヤの幅方向に対するデッケルの挿入量を加減することにより、幅方向両端部における上下ワイヤへの押付量を調整できるので、押付量の調整を容易にすることができる。
請求項３の発明によれば、デッケルの傾斜面と加圧ブレードの傾斜面がほぼ同一であるので、上下ワイヤの幅方向両端部において、デッケルの傾斜面と加圧ブレードの傾斜面による上下ワイヤの押付量を一定にすることができる。また、デッケルと加圧ブレードとの間に挟まれた上下ワイヤが、両者の間で折れ曲がることを防ぐことができるので、ワイヤの損傷防止効果を高くすることができる。
請求項４の発明によれば、デッケルの内端部に丸みがついているので、デッケルが上部ワイヤに対し鋭角的に接触する部分は無く、滑らかに接触するので、紙料の内圧によって上部ワイヤの幅方向において紙を挟んでいる部分が膨らんでも上部ワイヤを損傷しにくい。また、上部ワイヤとデッケルが滑らかに接触しているから、ワイヤがデッケルの先端との間で擦れて上部ワイヤに傷が付くことを防ぐことができる。
請求項５の発明によれば、加圧ブレードの上面において、その中央部とテーパ面との交わる部分に丸みがついているので、加圧ブレードが下部ワイヤに対し鋭角的に接触する部分は無く、滑らかに接触するので、下部ワイヤを損傷しにくい。
【０００８】
【発明の実施の形態】
つぎに、本発明の実施形態を図面に基づき説明する。
図１は本発明のフォーマーの要部拡大図である。図２は上下ブレード７，８とデッケル９の組合わせ状態を示す説明図であって、（Ａ）は斜視図であり、（Ｂ）は正面図である。図３は本発明の一実施形態に係るフォーマーの側面図である。なお、図２（Ａ）では、構成を分かりやすくするために、上下のワイヤ３，４は省略している。
【０００９】
まず、図１および図３に基づきツインワイヤ式抄紙機の全体構成を説明する。フォーミングロール１と、ブレストロール２は互いに接近して配置され、ニップ部Ｎを構成している。上部ワイヤ３は、フォーミングロール１とワイヤパートの上半分適所に配置された複数のガイドロール１１にエンドレスに巻き掛けられて、ワイヤパートの上半分領域で循環する。下部ワイヤ４は、ブレストロール２とワイヤパートの下半分適所に配置された複数のガイドロール１２にエンドレスに巻き掛けられて、ワイヤパートの下半分領域で循環する。
前記上部ワイヤ３がフォーミングロール１に巻き掛けられた部分と、前記下部ワイヤ４がブレストロール２に巻き掛けられた部分で側面視漏斗状に形成された開口部５に臨むように、ヘッドボックス６が配置されている。そして、ニップ部Ｎから下流側においてワイヤ３，４が重なって走行する領域の内部が紙層を形成するフォーミングゾーンとなっている。
そして、紙料懸濁液（以下、紙料液という）をニップ部における前記ワイヤ３，４間に噴出させてフォーミングゾーンに供給される。
この紙料は、ニップ部Ｎから、上下のブレード７，８で支えられた部分を通過する間に、上下ワイヤ３，４で搬送されながら大部分の水分が除去されて紙層に形成されていく。そして、上下ワイヤ３，４でさらに搬送されつつ紙層形成されて湿紙となり、ついで全ての抄紙機が備えているプレスパートで湿紙の組織を緻密にし、ドライパートで乾燥させ、カレンダパートで紙の平滑性や光沢をつけ、最後にリールパートでロール状に巻き取って、製品に仕上げていく。
【００１０】
さて、本発明の特徴である固定ブレード７、加圧ブレード８およびデッケル９を説明する。
図１に示すように、上部ワイヤ３の上方には、複数の固定ブレード７が上部ワイヤ３の送り方向に沿って複数本一定間隔毎に配置されている。この固定ブレード７は、上部ワイヤ３の幅方向に渡し掛けられており、その下面が上部ワイヤ３の上面と平行となるように形成されている。
図１における丸囲みＸ中に示すように、固定ブレード７において、その上部ワイヤ３の送り方向に対して上流側および下流側の面（以下、それぞれ前面７ａ、後面７ｂで示す）は、上部ワイヤ３の上面に対して傾斜した傾斜面となっている。
【００１１】
一方、下部ワイヤ４の下方には、複数の加圧ブレード８が下部ワイヤ４の送り方向において、前記複数の固定ブレード７同士の間に位置するように配設されている。この加圧ブレード８も、固定ブレード７と同様に、下部ワイヤ４の幅方向に渡し掛けられている。また、加圧ブレード８は、下部ワイヤ４に向けて昇降可能に設けられているため、加圧ブレード８を下部ワイヤ４に向けて昇降させれば、上下のワイヤ３，４を加圧することができる。
【００１２】
図２に示すように、加圧ブレード８は、その上面中央部８ｅが下部ワイヤ４の下面と平行、つまり固定ブレード７の下面７ｃと平行となるように形成されている。そして、加圧ブレード８の上面両端部８ｃは、外端方向に向けて下傾するテーパ面に形成されており、上面中央部８ｅと上面両端部８ｃの交わる部分には、上部ワイヤ３，４の送り方向上流側から見て、丸みがつけられている。
このため、加圧ブレード８が下部ワイヤ４に対し鋭角的に接触する部分は無く、滑らかに接触するので、下部ワイヤ４を損傷しにくい。
【００１３】
図１および図２に示すように、隣接する固定ブレード７における幅方向両端部の間には、複数のデッケル９が挿入されている。このデッケル９は、固定ブレード７の幅方向、つまり、上部ワイヤ３の幅方向（図２（Ｂ）では左右方向）に沿って移動可能に配設されている。
【００１４】
図１における丸囲みＸ中に示すように、このデッケル９は、上部ワイヤ３の送り方向に対して上流側の面（以下、前面９ａで示す）が、上部ワイヤ３の上面に対して前記固定ブレード７の後面７ｂと同じ傾斜となるように形成されている。そして、上部ワイヤ３の送り方向に対して下流側の面（以下、後面９ｂで示す）が、上部ワイヤ３の上面に対して固定ブレード７の前面７ａと同じ傾斜となるように形成されている。
【００１５】
また、図２（Ｂ）に示すように、デッケル９の下面９ｃは、外端方向に下傾し、固定ブレードの下面７ｃに対して前記加圧ブレード８の上面両端部８ｃと同じ傾斜角を有する傾斜面に形成されている。
【００１６】
このため、固定ブレード７のない部分において上部ワイヤ３の幅方向において紙を挟んでいる部分が膨らんでも、上部ワイヤ３がデッケル９の前端（内端）で折れ曲がることを防ぐことができるので、上部ワイヤ３の摩耗、損傷を極力防止することができる。
【００１７】
また、相手部材である加圧ブレード８の上面両端部８ｃも傾斜で逃がしているから、上下ワイヤ３，４の幅方向におけるデッケル９の挿入量を加減することにより、幅方向両端部における上下ワイヤ３，４へのデッケル９の押付量を調整でき、しかも押付量の調整が容易になる。
【００１８】
さらに、デッケル９の下面９ｃと加圧ブレード８の上面両端部８ｃが固定ブレード７の下面７ｃに対してなす傾斜角がほぼ同一であるので、上下ワイヤ３，４の幅方向両端部において、デッケル９の傾斜面９ｃと加圧ブレード８の上面両端部８ｃによる上下ワイヤ３，４の押付量を一定にすることができる。
また、デッケル９と加圧ブレード８との間に挟まれた上下ワイヤが、両者の間で折れ曲がることを防ぐことができるので、上下ワイヤ３，４の損傷防止効果を高くすることができる。
【００１９】
さらに、図２（Ｂ）に示すように、デッケル９は、その内端部、つまり下面９ｃと前端面９ｄとの交わる部分に、上下ワイヤ３，４の送り方向から見て、丸みがつけられている。
このため、デッケル９が上部ワイヤ３に対し鋭角的に接触する部分は無く、滑らかに接触するので、上部ワイヤ３を損傷しにくい。
よって、抄紙中に上部ワイヤ３の幅方向において紙を挟んでいる部分が紙料の内圧によって膨らんでも、上部ワイヤ３がデッケル９の先端に擦れて上部ワイヤ３に傷が付くことを防ぐことができる。
【００２０】
上記のごとき構成の固定ブレード７、加圧ブレード８およびデッケル９を有しているので、本実施形態のツインワイヤ式抄紙機のフォーマーは、ワイヤの幅方向両端部における押付量を簡単に調整することができ、ワイヤを傷付けにくいという効果を奏する。
【００２１】
なお、図２（Ｂ）に示すように、デッケル９に外部から潤滑剤を供給するための潤滑剤供給路９ｈを設ければ、デッケル９と上部ワイヤ３との間の摩擦をより小さくすることができるので、上部ワイヤ３の損傷をより確実に防ぐことができる。
【００２２】
【発明の効果】
請求項１の発明によれば、デッケルの下面がテーパ状になっているから、上部ワイヤの摩耗、損傷を極力防止することができる。
請求項２の発明によれば、デッケルの挿入量を加減することにより、幅方向両端部における上下ワイヤへの押付量を調整できるので、押付量の調整を容易にすることができる。
請求項３の発明によれば、上下ワイヤの幅方向両端部において、デッケルの傾斜面と加圧ブレードの傾斜面による上下ワイヤの押付量を一定にすることができ、ワイヤの損傷防止効果を高くすることができる。
請求項４の発明によれば、紙料の内圧によって上部ワイヤの幅方向において紙を挟んでいる部分が膨らんでも上部ワイヤを損傷しにくく、上部ワイヤに傷が付くことを防ぐことができる。
請求項５の発明によれば、加圧ブレードが下部ワイヤに対し鋭角的に接触する部分は無く、滑らかに接触するので、下部ワイヤを損傷しにくい。
【図面の簡単な説明】
【図１】本発明のフォーマーの要部拡大図である。
【図２】上下ブレード７，８とデッケル９の組合わせ状態を示す説明図であって、（Ａ）は斜視図であり、（Ｂ）は正面図である。
【図３】ツインワイヤ式抄紙機のワイヤパートの全体側面図である。
【図４】従来のフォーマーの拡大側面図である。
【図５】従来のデッケル１０９　によって上下ワイヤ３，４の幅方向両端部を押さえた状態の説明図である。
【符号の説明】
３　　　上部ワイヤ
４　　　下部ワイヤ
７　　　固定ブレード
８　　　加圧ブレード
９　　　デッケル
【図１】
2004019078.tif 000003
【図２】
2004019078.tif 000004
【図３】
2004019078.tif 000005
【図４】
2004019078.tif 000006
【図５】
2004019078.tif 000007